(57)【要約】【課題】小切手処理装置などの記録媒体搬送経路の設計自由度を確保する。【解決手段】小切手処理装置１は、キャリッジフレーム１７と、キャリッジフレーム１７と対向して配置され、キャリッジフレーム１７との間に、小切手を搬送する搬送経路Ａを形成するメインフレーム１６と、搬送経路Ａの小切手搬送方向と交差する方向の側方に配置されて、キャリッジフレーム１７の一端部１７ｇを支持するフロントフレーム１５と、フロントフレーム１５に設けられて、キャリッジフレーム１７の一端部１７ｇと搬送経路Ａを挟んで反対側の他端部１７ｈが鉛直方向上方および下方に移動可能となるようにキャリッジフレーム１７の一端部１７ｇをフロントフレーム１５に接続させるヒンジ部２２と、を備えた。【選択図】図３
2013202932.tif 000002
【特許請求の範囲】
【請求項１】
開閉ユニットと、
前記開閉ユニットと対向して配置され、該開閉ユニットとの間に、記録媒体を搬送する搬送経路を形成する基部と、
前記搬送経路において前記記録媒体の搬送方向と交差する方向の側方に立設され、前記開閉ユニットの一端部を支持する支持部と、
前記支持部に設けられて、前記開閉ユニットにおける前記一端部と前記搬送経路を挟んで反対側の他端部が鉛直方向上方および下方に移動可能となるように前記開閉ユニットの前記一端部を前記支持部に接続させる接続部と、
を備える、記録媒体処理装置。
【請求項２】
前記支持部に支持されて、前記搬送経路と交差する方向に延びる支持フレームを有し、
前記支持フレームに、前記記録媒体に印刷を行う印刷部、および前記記録媒体から情報を読み取る読取部の少なくとも一方が設けられる、請求項１に記載の記録媒体処理装置。
【請求項３】
前記支持フレームに設けられた前記読取部は磁気読取ヘッドである、請求項２に記載の記録媒体処理装置。
【請求項４】
前記開閉ユニットに、前記記録媒体に印刷を行う印刷部、および前記記録媒体から情報を読み取る読取部の少なくとも一方が設けられる、請求項１に記載の記録媒体処理装置。
【請求項５】
前記開閉ユニットの前記基部と対向する面に平面部が形成され、
前記平面部に、前記印刷部および前記読取部の少なくとも一方が設けられる、請求項４に記載の記録媒体処理装置。
【請求項６】
前記基部に、前記記録媒体に印刷を行う印刷部、および前記記録媒体から情報を読み取る読取部の少なくとも一方が設けられる、請求項１に記載の記録媒体処理装置。
【請求項７】
第１の方向にドットを形成する印刷ヘッドを有する開閉ユニットと、
前記開閉ユニットの前記第１の方向の一端部を支持する支持部と、
前記支持部に設けられて、前記開閉ユニットの前記一端部と反対側の他端部を鉛直方向上方および下方に移動可能となるように前記支持部と前記一端部とを接続させる接続部と、
を備えることを特徴とする印刷ヘッドの支持機構。
【発明の詳細な説明】
【技術分野】
【０００１】
本発明は、小切手などのシート状の記録媒体を搬送経路に沿って搬送する記録媒体処理装置及び記録媒体処理装置に設けられる印刷ヘッドの支持機構に関する。
【背景技術】
【０００２】
この種の記録媒体処理装置としては、例えば特許文献１に示すようには、印刷部もしくは読取部を有する開閉ユニットの一端を、記録媒体の搬送経路の上方を横断するように配置された片持ちフレームに回動可能に支持させ、開閉ユニットを開閉可能としたものが知られている。
特許文献１には、装置の前面側に配されて記録媒体の搬送経路を横断する片持ちフレームが印刷部もしくは読取部を有する開閉ユニットの一端を支持するとともに、その一端を中心に開閉ユニットを回転させる記録媒体処理装置が記載されている。
【先行技術文献】
【特許文献】
【０００３】
【特許文献１】特開２０１１−１１１３１１号公報
【発明の概要】
【発明が解決しようとする課題】
【０００４】
特許文献１の記録媒体処理装置では、装置前面に設けられた片持ちフレームに一端が回転自在に支持された開閉ユニットがその一端を中心として旋回することにより記録媒体の搬送経路に沿って上方もしくは下方に回転移動するため、開閉ユニットがと下方の搬送経路形成面とが干渉しない構成とする必要がある。そのため、搬送経路の上下方向の幅を開閉ユニットが上下移動できる程度に拡げる確保する必要がある。また、搬送経路の形状も開閉ユニットの移動範囲と干渉しない形状とする必要があり、搬送経路の設計自由度が低くなる。
【０００５】
本発明は、このような事情に鑑みてなされたものであり、開閉ユニットを設けることによりメンテナンス性を確保しつつ、記録媒体を搬送する搬送経路の設計自由度を確保しつつ、メンテナンス性を改善することを可能にした記録媒体処理装置および印刷ヘッドの支持機構を提供することを課題とする。
【課題を解決するための手段】
【０００６】
上記課題の少なくとも一部を解決するために、本発明の記録媒体処理装置は、
開閉ユニットと、
前記開閉ユニットと対向して配置され、該開閉ユニットとの間に、記録媒体を搬送する搬送経路を形成する基部と、
前記搬送経路において前記記録媒体の搬送方向と交差する方向の側方に立設され、前記開閉ユニットの一端部を支持する支持部と、
前記支持部に設けられて、前記開閉ユニットにおける前記一端部と前記搬送経路を挟んで反対側の他端部が鉛直方向上方および下方に移動可能となるように前記開閉ユニットの前記一端部を前記支持部に接続させる接続部と、
を備えることを特徴としている。
【０００７】
このような構成により、開閉ユニットの可動範囲が記録媒体の搬送経路と干渉することを防ぐことができる。
【０００８】
また、前記支持部に支持されて、前記搬送経路と交差する方向に延びる支持フレームを有し、
前記支持フレームに、前記記録媒体に印刷を行う印刷部、および前記記録媒体から情報を読み取る読取部の少なくとも一方が設けられることが好ましい。
このような構成により、開閉ユニットが開閉しても印刷部あるいは読取部は移動しないため、開閉ユニットの開閉動作により印刷精度あるいは読取精度を低下することを抑えることができる。
【０００９】
また、前記支持フレームに設けられた前記読取部は磁気読取ヘッドであることが好ましい。
このような構成により、磁気読取ヘッドを開閉ユニットの開閉動作の影響を受けにくい支持フレームに支持させることで、精度の高い取付状態を維持することができる。
【００１０】
また、前記開閉ユニットに、前記記録媒体に印刷を行う印刷部、および前記記録媒体から情報を読み取る読取部の少なくとも一方が設けられることが好ましい。
こうした構成により、開閉ユニットの開閉時に印刷部あるいは読取部も一体的に移動させることができ、メンテナンス性をさらに向上させることができる。
【００１１】
また、前記開閉ユニットの前記基部と対向する面に平面部が形成され、
前記平面部に、前記印刷部および前記読取部の少なくとも一方が設けられることが好ましい。
この構成により、印刷部あるいは読取部を配置する位置を平面で形成することが可能となり、搬送経路の設計を容易化することができるとともに、印刷精度や読取精度をさらに向上させることが可能となる。
【００１２】
また、前記基部に、前記記録媒体に印刷を行う印刷部、および前記記録媒体から情報を読み取る読取部の少なくとも一方が設けられることが好ましい。
このような構成により、印刷部あるいは読取部は開閉ユニットの開閉動作による影響を受けないため、印刷精度あるいは読取精度の低下を抑制できる。
【００１３】
また、本発明の印刷ヘッドの支持機構は、
第１の方向にドットを形成する印刷ヘッドを有する開閉ユニットと、
前記開閉ユニットの前記第１の方向の一端部を支持する支持部と、
前記支持部に設けられて、前記開閉ユニットの前記一端部と反対側の他端部が鉛直方向上方および下方に移動可能となるように前記支持部と前記一端部とを接続させる接続部と、
を備えることを特徴とする。
【００１４】
このような構成により、記録媒体の搬送経路との干渉を防いで開閉ユニットを開閉することができる。また、当該支持機構の汎用性を高めることができる。
【図面の簡単な説明】
【００１５】
【図１】本発明の一実施の形態に係る小切手処理装置の外観斜視図である。
【図２】図１に示した小切手処理装置を他の方向から見た場合の外観斜視図である。
【図３】図１に示した小切手処理装置の装置フレームおよび内部機構の斜視図である。
【発明を実施するための形態】
【００１６】
以下に、図面を参照して、本発明を適用した小切手処理装置の実施形態を説明する。
【００１７】
図１および図２は小切手処理装置の外観斜視図であり、図１は斜め右前方から見た外観斜視図、図２は斜め左前方から見た斜視図である。小切手処理装置（記録媒体処理装置の一例）１は、本体ケース２と、本体ケース２の前方上部に設けられた開閉ユニットカバー３と、本体ケース２の後方上部に設けられたロール紙ユニットカバー４とを有している。小切手処理装置１の上面には、開閉ユニットカバー３の後端とロール紙ユニットカバー４の前端との隙間に、小切手処理装置１の幅方向に延びる細い溝状の小切手排出口５が設けられている。本体ケース２は、中ケース２ａと下ケース２ｂを備えており、中ケース２ａの前面左側寄りの位置に、小切手（記録媒体の一例）を手差しで挿入するための小切手挿入口６が形成されている。小切手挿入口６は、小切手処理装置１の幅方向に延びるやや広い溝状に形成されている。
【００１８】
図２に示すように、小切手処理装置１の左側面には、小切手挿入口６から小切手排出口５に至る小切手搬送経路Ａの左端が開口している。小切手搬送経路Ａは、装置１の前面から後方に向かって平面状に延びる第１搬送経路部分Ｂと、第１搬送経路部分Ｂの後端から上向きの円弧面状に延びる円弧状搬送経路部分Ｃと、円弧状搬送経路部分Ｃの後端から装置１の上面に向かって縦向きに延びる平面状の第２搬送経路部分Ｄを備えた屈曲形状となっている。このように、搬送経路Ａの一方の側端を開放した構成とすることにより、搬送経路Ａよりも幅の広い小切手を搬送することができる。
【００１９】
開閉ユニットカバー３の下部には、紙案内部材７Ａおよび７Ｂが取り付けられている。小切手搬送経路Ａは、開閉ユニットカバー３の後端部分から紙案内部材７Ａの後部および紙案内部材７Ｂの下部にかけて形成されている上案内面８と、上案内面８と所定の隙間を介して対峙するように中ケース２ａ側に形成されている下案内面９によって規定されている。上案内面８の前面部分は小切手挿入口６側に向かって斜め上方に傾斜する傾斜面８ａを形成する。傾斜面８ａにより、第１搬送経路部分Ｂを構成している溝の幅（開口高さ）が小切手挿入口６に向かって拡がっており、手差しで小切手を挿入しやすい構成となっている。
【００２０】
図３は、小切手処理装置１の装置フレームおよび内部機構の斜視図である。なお、本実施形態では、装置１後方のロール紙ユニットカバー４で覆われた部分にロール紙への印刷を行うロール紙ユニットが設けられているが、以下の説明および図面では、ロール紙ユニットについては図示および説明を省略している。
【００２１】
図３に示すように、第１搬送経路部分Ｂ（図２参照）に対応する部分には、傾斜面８ａ（図２参照）の下端付近に位置させて磁気読取ヘッド１０（読取部の一例）が下向きに配置されるとともに、磁気読取ヘッド１０の後方側には、搬送用のローラー対１１が設けられている。磁気読取ヘッド１０は、小切手に記録された磁気インク文字（ＭＩＣＲ文字）を読み取り可能に構成されている。小切手処理装置１は、読み取った情報に基づいて小切手の有効・無効や、口座番号などを判断する。
【００２２】
ローラー対１１は、上案内面８側に配置されているローラー１１Ａと、ローラー１１Ａに下案内面９側から対峙するように配置されているローラー１１Ｂを備えており、ローラー１１Ａとローラー１１Ｂのローラー面を上下方向に当接させて小切手を挟み込むように構成されている。ローラー１１Ａ，１１Ｂのいずれか一方を駆動することにより、ローラー対１１に挟み込まれた小切手が搬送される。
【００２３】
第２搬送経路部分Ｄ（図２参照）には、小切手排出口５（図１，２参照）よりもやや下方に配置された表面印刷用の記録ヘッド１２（印刷部の一例）と、記録ヘッド１２の下方側に配置されている搬送用のローラー対１３と、ローラー対１３よりも下方に配置されている裏面印刷用の記録ヘッド１４が設けられている。ローラー対１３は、第２搬送経路部分Ｄの前面側に配置されているローラー１３Ａ（分離ローラー）と、ローラー１３Ａに後方側から対峙するように配置されているローラー１３Ｂ（固定ローラー）を備えており、ローラー１３Ａとローラー１３Ｂのローラー面を装置前後方向に当接させて小切手を挟み込むように構成されている。ローラー１３Ａ，１３Ｂのいずれか一方を駆動することにより、ローラー対１３に挟み込まれた小切手が搬送される。
【００２４】
記録ヘッド１２は、そのヘッド面を装置１の後方に向けた状態で、第２搬送経路部分Ｄ（図２参照）の前方側に配置されている。すなわち、記録ヘッド１２は、小切手挿入口６への挿入時に上を向いている面（小切手の表面）への印刷が可能なヘッドであり、支払先、日付、金額などの表書き事項を小切手の表面に印刷する。一方、記録ヘッド１４は、そのヘッド面を装置１の前方に向けた状態で第２搬送経路部分Ｄ（図２参照）の後方側に配置されている。すなわち、記録ヘッド１４は、小切手挿入口６への挿入時に下を向いている面（小切手の裏面）への印刷が可能なヘッドであり、金額や認証番号などの裏書き事項を小切手の裏面に印刷する。本実施形態での記録ヘッド１２，１４は、インクリボン上のインクをインパクトヘッドにより小切手に転写するドットインパクト方式の印刷ヘッドである。本実施形態での記録ヘッド１２，１４は、小切手の搬送方向と交差する方向（図３中Ｓ方向）に沿ってドットを形成する。なお、他の印刷方式の記録ヘッドを用いることもでき、ドットの形成方向も小切手の搬送方向と交差する方向に限られない。
【００２５】
図３に示すように、小切手処理装置１は、装置１の前面部分および小切手搬送経路Ａの右側方に立設された側面部分を構成しているフロントフレーム１５（支持部の一例）と、フロントフレーム１５と対向して該フロントフレーム１５の下端および側端から装置１の後方側に延びているメインフレーム１６（基部の一例）と、フロントフレーム１５の上部に支持されているキャリッジフレーム１７を備えている。メインフレーム１６は、フロントフレーム１５の各部に対して固定状態もしくは一体に形成されている。
【００２６】
フロントフレーム１５は、小切手挿入口６に対応する部分が凹状に切り欠かれて左側に開口した形状となっており、小切手挿入口６の上部を横断するように片持ち状態で延びている上縁フレーム１８（支持フレームの一例）を備えている。磁気読取ヘッド１０は、上縁フレーム１８もしくは上縁フレーム１８から下向きに延びる取付部材を介して、フロントフレーム１５における上縁フレーム１８の下部に固定されている。
【００２７】
上縁フレーム１８から装置１の後方に向かって斜め下向きに側フレーム１９が延びている。図３に示すように、側フレーム１９の先端部分には、ローラー１１Ａの回転軸１１ａを回転自在に支持する軸受け部が形成されている。ローラー１１Ａと対峙するローラー１１Ｂの回転軸１１ｂは、メインフレーム１６に設けられた軸受け部に回転自在に支持されている。
【００２８】
キャリッジフレーム１７は、フロントフレーム１５に対してヒンジ部２２（接続部の一例）を介して接続されるとともに、ヒンジ部２２を介してフロントフレーム１５から支持されている。キャリッジフレーム１７は、矩形平面状の底板の左右両端縁から上向きに側板１７ｂ，１７ｃを立ち上げ、側板１７ｂ，１７ｃの前端の間に前板１７ｄを設けた浅い箱型形状に形成されている。ヒンジ部２２は、キャリッジフレーム１７における小切手搬送方向の一端部１７ｇに形成された軸穴を有する取付片１７ｅ，１７ｆと、フロントフレーム１５において取付片１７ｅ，１７ｆに対応する部分に形成され図示しない軸穴とに対して、ピン２３を挿通することにより形成される。これにより、キャリッジフレーム１７は、小切手搬送方向に沿って装置１の前後方向に延びる回転中心線Ｅを中心として回転自在とされる。
【００２９】
この場合、キャリッジフレーム１７は、図３の実線で示す閉位置Ｐ１と、二点鎖線で示す斜め上向きに旋回した開位置Ｐ２との間を移動可能となっている。これにより、キャリッジフレーム１７の一端部１７ｇと小切手搬送経路Ａを挟んで反対側の他端部１７ｈが、鉛直方向上方および下方に移動可能となっている。キャリッジフレーム１７およびこれに搭載されている各部材は、上縁フレーム１８によって回転自在に支持された開閉ユニット２０として構成されている。なお、開閉ユニット２０の開位置Ｐ２を、図３中において二点鎖線にて示す位置よりも更に装置１の右上方に旋回させた位置に設定してもよい。
【００３０】
キャリッジフレーム１７における側板１７ｂ，１７ｃの後端には、ローラー１３Ａの回転軸１３ａが回転自在に支持されている。一方、ローラー１３Ｂの回転軸１３ｂは、メインフレーム１６に支持されている。このように、ローラー対１３は、一方のローラー１３Ａが開閉ユニット２０に含まれ、他方のローラー１３Ｂが開閉ユニットに含まれない。よって、開閉ユニット２０が小切手搬送方向に沿った回転中心線Ｅを中心として上向きに旋回するときには、ローラー１３Ａおよび回転軸１３ａがキャリッジフレーム１７と共に移動してローラー１３Ｂおよび回転軸１３ｂから分離される。これにより、開閉ユニット２０が開位置Ｐ２にある状態ではローラー対１３による記録媒体の挟み込み状態が解除され、記録媒体を容易に除去することができる。
【００３１】
また、キャリッジフレーム１７には、記録ヘッド１２を搭載している図示しないキャリッジと、このキャリッジをタイミングベルトによって小切手処理装置１の幅方向に往復移動させるキャリッジ走査機構が搭載されており、これらの機構の上部を覆うように、開閉ユニットカバー３が取り付けられている。これに加えて、小切手搬送経路Ａの上案内面８を形成している２つの紙案内部材７Ａ，７Ｂのうち、装置後方側に配置されている紙案内部材７Ａがキャリッジフレーム１７に取り付けられている。従って、キャリッジフレーム１７が回転中心線Ｅを中心として上向きに旋回するときには、上記のローラー１３Ａおよび回転軸１３ａに加えて、記録ヘッド１２およびキャリッジ走査機構と、紙案内部材７Ａおよび開閉ユニットカバー３が、キャリッジフレーム１７と一体になって装置１の右上方に移動する。
【００３２】
開閉ユニット２０は、閉位置Ｐ１にあるときには小切手搬送経路Ａに沿って位置し、紙案内部材７Ｂの後面から下面にかけての部分が上案内面８として機能する。すなわち、閉位置Ｐ１では、紙案内部材７Ｂが円弧状搬送経路部分Ｃおよび第２搬送経路部分Ｄを規定している状態が形成されている。また、閉位置Ｐ１では、記録ヘッド１２による印刷動作およびローラー対１３による搬送動作が可能な状態が形成されている。よって、小切手処理装置１は、開閉ユニット２０を閉位置Ｐ１に移動させることにより、ローラー対１１，１３による記録媒体の搬送動作、および、記録ヘッド１２，１４と磁気読取ヘッド１０の各ヘッドによる印刷や読み取りなどの各処理を行うことができる。
【００３３】
一方、開閉ユニット２０は、開位置Ｐ２にあるときには小切手搬送経路Ａの右上方に斜めに立ち上がる状態となっており、この状態では、円弧状搬送経路部分Ｃおよび第２搬送経路部分Ｄの上部を覆っている部材が、この部分の上案内面８を含めて、全て小切手処理装置１の右上方に移動している。つまり、この状態では、ローラー対１１による搬送位置を含む円弧状搬送経路部分Ｃ、および、ローラー対１３による搬送位置を含む第２搬送経路部分Ｄが外部に露出されている。よって、第１搬送経路部分Ｂの後端に配置されたローラー対１１から、記録ヘッド１２のすぐ下に配置されたローラー対１３までの奥まった区間に詰まった記録媒体を容易に除去することができる。また、円弧状搬送経路部分Ｃおよび第２搬送経路部分Ｄに配置されている機構が外部に露出しているので、これらの機構のメンテナンスを容易に行うことができる。さらに、このとき、開閉ユニット２０に搭載されている記録ヘッド１２などの内部機構も外部に露出しているので、これらのメンテナンスを行うこともできる。なお、メンテナンス中に開閉ユニット２０を開位置Ｐ２で保持させるための保持機構を設けておくことが望ましい。
【００３４】
以上説明したように、本実施形態においては、キャリッジフレーム１７（開閉ユニット２０）の小切手搬送方向に直交する方向の一端部１７ｇ側が、ヒンジ部２２を介してフロントフレーム１５に支持され、キャリッジフレーム１７が一端部１７ｇ側の回転中心線Ｅを中心として旋回可能となっている。これにより、キャリッジフレーム１７の他端部１７ｈが鉛直方向上方および下方に移動可能とされている。このため、開閉ユニット２０の可動範囲において搬送経路Ａを規定する上案内面８と下案内面９とが干渉する虞がない。したがって、搬送経路Ａの上下方向の幅を狭めることができ、小切手のジャムの発生を抑えつつ、装置のメンテナンス性を改善することが可能となる。
【００３５】
以上において本発明の一実施の形態を説明したが、本発明は上記の実施形態に限定されず、その趣旨を逸脱しない範囲内で必要に応じて他の構成を採用することが可能である。
たとえば、上記実施形態では、小切手挿入口６寄りの位置に配置されている紙案内部材７Ｂは、フロントフレーム１５に取り付けられているため、キャリッジフレーム１７が旋回しても移動しない構成となっている。同様に、フロントフレーム１５に支持されている磁気読取ヘッド１０と、フロントフレーム１５およびメインフレーム１６に支持されているローラー対１１は、キャリッジフレーム１７が旋回しても移動しない構成となっている。しかし、これらの構成に限定されず、紙案内部材７Ｂを紙案内部材７Ａとともにキャリッジフレーム１７に取り付ける構成としてもよい。また、上縁フレーム１８や側フレーム１９を設けることなく、磁気読取ヘッド１０およびローラー対１１のうち上案内面８側に配置されているローラー１１Ａをキャリッジフレーム１７に直接取り付けるように構成してもよい。このように構成することで、開閉ユニット２０の開閉動作により紙案内部材７Ｂ、磁気読取ヘッド１０およびローラー１１Ａもキャリッジフレーム１７とともに移動されることとなり、ローラー対１１に挟まれた記録媒体を容易に除去することができる。
【００３６】
さらに、上記実施形態は、磁気読取ヘッド１０および記録ヘッド１２，１４の３つのヘッドを搭載するものであったが、これに限定されず、例えば、これらのヘッドのいずれかを省略したものであっても良いし、他のヘッドを追加したものであってもよい。例えば、光学式の読取ヘッドを有するスキャナーや、複数の記録ヘッドのみを有するプリンターなどに本発明を適用してもよい。このとき、各ヘッドの近傍において記録媒体を搬送するローラー対を本実施形態のローラー対１１のように固定式とするか、ローラー対１３のように分離式とするかは、各搬送位置における要求搬送精度などに応じて適宜決定することができる。
【００３７】
また、上記実施形態では、図１から図３に示すように、搬送経路Ａを円弧状に形成する構成を説明したが、これに限定されない。従来は、開閉ユニットが搬送経路Ａに沿って開閉される構成となっていたため、開閉ユニットと本体ケースとが干渉しないよう搬送経路Ａを円弧形状とする必要があった。一方、本実施形態では、開閉ユニット２０が搬送経路Ａの小切手搬送方向と直交あるいは略直交する方向に立ち上がる構成となっているため、開閉ユニット２０の上下移動の範囲と搬送経路Ａとが干渉する虞がない。そのため、搬送経路Ａを円弧形状としておく必要がなく、搬送経路Ａの設計自由度が確保できる。たとえば、磁気読取ヘッド１０および記録ヘッド１２，１４を配置する位置を平面（平面部）で形成することが可能である。これらの印刷・読取機構を配置する位置を平面状で形成した場合、小切手の印刷精度や読取精度を向上させつつ、ジャムの発生も抑制することができる。
【００３８】
さらに、開閉ユニット２０により開閉可能な小切手搬送経路Ａの区間を、上記のように円弧状搬送経路部分Ｃと第２搬送経路部分Ｄの全区間とせず、円弧状搬送経路部分Ｃの区間のみ、あるいは、少なくともローラー対１１もしくはローラー対１３のいずれか一方による搬送位置を含む区間のみとするように開閉ユニット２０を構成してもよい。このような構成であっても、小切手搬送経路Ａにおける奥まった位置にある搬送ローラー対による搬送位置を開閉できるため、この部分に詰まった記録媒体の除去が容易となる。なお、記録媒体についても、小切手などの定型のシート状媒体だけでなく連続紙を用いることが可能な構成にしてもよい。
【符号の説明】
【００３９】
１…小切手処理装置（記録媒体処理装置）、２…本体ケース、２ａ…中ケース、２ｂ…下ケース、３…開閉ユニットカバー、４…ロール紙ユニットカバー、５…小切手排出口、６…小切手挿入口、７Ａ…紙案内部材、７Ｂ…紙案内部材、８…上案内面、８ａ…傾斜面、９…下案内面、１０…磁気読取ヘッド（読取部）、１１…ローラー対、１１Ａ…ローラー、１１Ｂ…ローラー、１１ａ，１１ｂ…回転軸、１２…記録ヘッド（印刷部）、１３…ローラー対、１３Ａ…ローラー（分離ローラー）、１３Ｂ…ローラー（固定ローラー）、１３ａ，１３ｂ…回転軸、１４…記録ヘッド、１５…フロントフレーム（支持部）、１６…メインフレーム（基部）、１７…キャリッジフレーム、１７ｂ，１７ｃ…側板、１７ｄ…前板、１７ｅ…取付片、１７ｆ…取付片、１８…上縁フレーム（支持フレーム）、１８ａ…取付片、１９…側フレーム、２０…開閉ユニット、２２…ヒンジ部（接続部）、Ａ…小切手搬送経路、Ｂ…第１搬送経路部分、Ｃ…円弧状搬送経路部分、Ｄ…第２搬送経路部分、Ｅ…回転中心線、Ｐ１…閉位置、Ｐ２…開位置
【図１】
2013202932.tif 000003
【図２】
2013202932.tif 000004
【図３】
2013202932.tif 000005